(57)【要約】【課題】高信頼性の発光装置及び照明器具を提供する。【解決手段】実施形態によれば、第１発光パネルと第１金属板と第２金属板とを含む発光部を備えた発光装置が提供される。前記第１発光パネルは、第１部分と前記第１部分と離間した第２部分とを含む第１電極膜と、前記第１部分から前記第２部分へ向かう第１方向と交差する第２方向において前記第１電極膜と離間した第２電極膜と、前記第１電極膜と前記第２電極膜との間に設けられた第１発光層を含む第１有機層と、を含む。前記第１金属板は、前記第１部分と重なる第１領域と、前記第１発光パネルと重ならない第２領域と、を含み、前記第１電極膜と電気的に接続される。前記第２金属板は、前記第２部分と重なる第３領域と、前記第１発光パネルと重ならない第４領域と、を含み、前記第２電極膜と電気的に接続され、前記第１金属板と離間する。【選択図】図１
2015065306.tif 000002
【特許請求の範囲】
【請求項１】
第１部分と前記第１部分と離間した第２部分とを含む第１電極膜と、前記第１部分から前記第２部分へ向かう第１方向と交差する第２方向において前記第１電極膜と離間した第２電極膜と、前記第１電極膜と前記第２電極膜との間に設けられた第１発光層を含む第１有機層と、を含む第１発光パネルと、
前記第１部分と重なる第１領域と、前記第１発光パネルと重ならない第２領域と、を含み、前記第１電極膜と電気的に接続された第１金属板と、
前記第２部分と重なる第３領域と、前記第１発光パネルと重ならない第４領域と、を含み、前記第２電極膜と電気的に接続され、前記第１金属板と離間した第２金属板と、
を含む発光部を備えた発光装置。
【請求項２】
前記発光部は、複数設けられ、
前記複数の発光部のうちの１つの発光部の前記第１金属板は、前記１つの発光部とは異なる発光部の前記第２金属板と、電気的に接続された請求項１記載の発光装置。
【請求項３】
前記発光部は、第３部分と前記第３部分と離間した第４部分とを含む第３電極膜と、前記第２方向において前記第３電極膜と離間した第４電極膜と、前記第３電極膜と前記第４電極膜との間に設けられた第２発光層を含む第２有機層と、を含む第２発光パネルをさらに含み、
前記第２金属板は、前記第３部分と重なる第５領域さらに含み、前記第３電極膜及び前記第４電極膜のいずれか一方と電気的に接続されている請求項１記載の発光装置。
【請求項４】
前記発光部は、第３金属板をさらに含み、
前記第３金属板は、前記第４部分と重なる第６領域と、前記第２発光パネルと重ならない第７領域と、を含み、前記第３電極膜及び前記第４電極膜のいずれか他方と電気的に接続され、前記第２金属板と離間する請求項３記載の発光装置。
【請求項５】
請求項１〜４のいずれか１つに記載の発光装置を備えた照明器具。
【発明の詳細な説明】
【技術分野】
【０００１】
本発明の実施形態は、発光装置及び照明器具に関する。
【背景技術】
【０００２】
例えば、ＯＬＥＤ（Organic Light Emitting Diode）を光源とする発光装置及び照明器具がある。このような発光装置及び照明器具において、高い信頼性が望まれる。
【先行技術文献】
【特許文献】
【０００３】
【特許文献１】特開２０１１−１６５４８９号公報
【発明の概要】
【発明が解決しようとする課題】
【０００４】
本発明の実施形態は、高信頼性の発光装置及び照明器具を提供する。
【課題を解決するための手段】
【０００５】
本発明の実施形態によれば、第１発光パネルと第１金属板と第２金属板とを含む発光部を備えた発光装置が提供される。前記第１発光パネルは、第１部分と前記第１部分と離間した第２部分とを含む第１電極膜と、前記第１部分から前記第２部分へ向かう第１方向と交差する第２方向において前記第１電極膜と離間した第２電極膜と、前記第１電極膜と前記第２電極膜との間に設けられた第１発光層を含む第１有機層と、を含む。前記第１金属板は、前記第１部分と重なる第１領域と、前記第１発光パネルと重ならない第２領域と、を含み、前記第１電極膜と電気的に接続される。前記第２金属板は、前記第２部分と重なる第３領域と、前記第１発光パネルと重ならない第４領域と、を含み、前記第２電極膜と電気的に接続され、前記第１金属板と離間する。
【発明の効果】
【０００６】
本発明の実施形態によれば、高信頼性の発光装置及び照明器具が提供される。
【図面の簡単な説明】
【０００７】
【図１】図１（ａ）及び図１（ｂ）は、第１の実施形態に係る発光装置を示す模式図である。
【図２】図２（ａ）及び図２（ｂ）は、第２の実施形態に係る発光装置を示す模式図である。
【図３】図３（ａ）及び図３（ｂ）は、第３の実施形態に係る発光装置を示す模式図である。
【図４】図４（ａ）及び図４（ｂ）は、第３の実施形態に係る発光装置を示す模式図である。
【図５】実施形態に係る発光装置を用いた照明器具を示す模式図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１（ａ）及び図１（ｂ）は、第１の実施形態に係る発光装置を例示する模式図である。  
図１（ａ）は、発光装置２１０の透視平面図である。図１（ｂ）は、図１（ａ）のＡ１−Ａ２線断面を例示している。
【００１０】
図１（ａ）に表したように、発光装置２１０は、発光部２００を含む。発光部２００は、第１発光パネル１０１と、第１金属板７０ａと、第２金属板７０ｂと、を含む。
【００１１】
第１発光パネル１０１は、第１電極膜７２ａと、第２電極膜７２ｂと、第１有機層３０ａと、を含む。第１有機層３０ａは、第１電極膜７２ａと第２電極膜７２ｂとの間に設けられる。
【００１２】
図１（ｂ）に表したように、第１有機層３０ａは、発光層３２を含む。  
第１電極膜７２ａ、第１有機層３０ａ及び第２電極膜７２ｂは、例えば、基板２０上に設けられる。第１電極膜７２ａは、第１部分１００ａと第２部分１００ｂとを含む。
【００１３】
第１電極膜７２ａから第１有機層３０ａへ向かう方向をＺ軸方向とする。Ｚ軸方向に対して垂直な１つの方向をＸ軸方向とする。Ｚ軸方向に対して垂直で、Ｘ軸方向に対して垂直な方向をＹ軸方向とする。
【００１４】
例えば、第１部分１００ａは、Ｘ軸方向において、第２部分１００ｂと離間している。Ｘ軸方向と交差する方向（例えば、Ｚ軸方向）において、第１電極膜７２ａは、第２電極膜７２ｂと離間している。
【００１５】
第１金属板７０ａは、第１領域Ｒ１と第２領域Ｒ２とを含む。第１領域Ｒ１は、第１部分１００ａと対向する。第２領域Ｒ２は、第１発光パネル１０１と対向しない。Ｘ−Ｙ平面に投影したときに、第１領域Ｒ１は、第１部分１００ａと重なり、第２領域Ｒ２は、第１発光パネル１０１と重ならない。  
第１電極膜７２ａは、第１金属板７０ａと、第１導電部７１ａによって電気的に接続されている。
【００１６】
第２金属板７０ｂは、第３領域Ｒ３と第４領域Ｒ４とを含む。第３領域Ｒ３は、第２部分１００ｂと対向する。第４領域Ｒ４は、第１発光パネル１０１と対向しない。Ｘ−Ｙ平面に投影したときに、第３領域Ｒ３は、第２部分１００ｂと重なり、第４領域Ｒ４は、第１発光パネル１０１と重ならない。  
第２電極膜７２ｂは、第２金属板７０ｂと、第２導電部７１ｂによって電気的に接続されている。第２金属板７０ｂは、第１金属板７０ａと離間している。第２導電部７１ｂは、第１導電部７１ａと離間している。
【００１７】
第１有機層３０ａの側面と第２電極膜７２ｂとの間、及び、第１電極膜７２ａの端部と第２電極膜７２ｂとの間には、絶縁膜２６が設けられている。
【００１８】
基板２０の上に、透明封止部材２４が設けられている。基板２０と透明封止部材２４との間に、封止体２５が設けられている。第１発光パネル１０１は、透明封止部材２４と基板２０との間に設けられている。透明封止部材２４として、ガラス基板及び透明樹脂の少なくともいずれかが用いられる。封止体２５には、例えば樹脂が用いられる。例えば、封止体２５は、基板２０と透明封止部材２４との間の領域の周囲に連続して設けられている。
【００１９】
基板２０は、例えば、光透過性である。基板２０としては、例えば、透明基板が用いられる。基板２０として、例えば、ガラス基板が用いられる。基板２０は、透明樹脂基板でもよい。
【００２０】
本明細書において、「透明」とは、発光層３２の発光光に対して透過性を有することを表す。「透明」とは、光透過率が１００％であることには限らない。例えば、波長５５０ｎｍにおける透過率が２０％以上、望ましくは３０％以上であることを意味する。発光層３２は、可視光を発光する。「透明」とは、リモートコントローラの送信信号や、人感センサの検知対象光などに対する透過性を有することも表す。例えば、「透明」とは、赤外線に対して透過性を有することも表す。
【００２１】
「不透明」とは、発光層３２の発光光に対して遮光性または反射性を有することを表す。「不透明」とは、発光層３２の発光光に対する透過率が０％であることには限らない。「不透明」とは、「透明」な領域よりも透過率が相対的に低い場合も表す。例えば、波長５５０ｎｍにおける透過率が２０％以下、望ましくは１５％以下であることを意味する。
【００２２】
第１電極膜７２ａは、例えば、光透過性である。第１電極膜７２ａは、透明電極である。第１電極膜７２ａには、例えば、ＩＴＯ（Indium Tin Oxide）、ＩＺＯ（Indium Zinc Oxide）または導電性高分子などが用いられる。
【００２３】
第２電極膜７２ｂの光透過率は、例えば、第１電極膜７２ａの光透過率よりも低い。第２電極膜７２ｂは、例えば、不透明である。第２電極膜７２ｂは、例えば、金属膜である。金属膜には、例えば、銀（Ａｇ）膜、またはアルミニウム（Ａｌ）膜が用いられる。第２電極膜７２ｂの厚さは、例えば３０ｎｍ以上である。
【００２４】
第１金属板７０ａ及び第２金属板７０ｂには、例えば、アルミニウム（Ａｌ）または銅（Ｃｕ）などの板が用いられる。
【００２５】
第１導電部７１ａ及び第２導電部７１ｂは、導電性である。第１導電部７１ａ及び第２導電部７２ｂには、例えば、変形可能な（弾性のある）金属片が用いられる。第１導電部７１ａ及び第２導電部７２ｂには、例えば、カーボン、または、導電性のゴムを用いても良い。
【００２６】
第１有機層３０ａには、発光層３２と、正孔輸送層３１と、電子輸送層３３と、が設けられている。第１電極膜７２ａの上に正孔輸送層３１が設けられ、正孔輸送層３１の上に発光層３２が設けられ、発光層３２の上に電子輸送層３３が設けられている。
【００２７】
例えば、第１電極膜７２ａから正孔輸送層３１を介して、発光層３２へ正孔が注入される。第２電極膜７２ｂから電子輸送層３３を介して、発光層３２へ電子が注入される。発光層３２では、注入された電子と正孔とが、再結合する。再結合の際に発生するエネルギーによって、発光層３２から光が放出される。
【００２８】
例えば、面積の広い発光パネルを用いる場合がある。この場合、第１電極膜７２ａの面積は大きくなる。面積の大きな第１電極膜７２ａを用いた場合、第１電極膜７２ａの電気抵抗は高くなる。第１電極膜７２ａに電流が流れると、第１電極膜７２ａは、発熱する。電気抵抗の高い第１電極膜７２ａを用いた場合、第１電極膜７２ａの発熱は増加する。これにより、発光装置２１０の信頼性が劣化する場合がある。
【００２９】
本実施形態に係る発光装置２１０には、第１金属板７０ａ及び第２金属板７０ｂが設けられている。第１電極膜７２ａにおいて発生した熱は、第１金属板７０ａ及び第２金属板７０ｂへ伝わる。第１金属板７０ａ及び第２金属板７０ｂによって、発生した熱が放熱される。発光装置２１０の温度の均一性が高まる。本実施形態によれば、信頼性の高い発光装置が提供される。
【００３０】
例えば、電気抵抗の高い第１電極膜７２ａを用いた場合、第１電極膜７２ａ内において、電流にムラが生じる場合がある。これにより、発光層３２の輝度の均一性が低くなる場合がある。発光層３２に輝度ムラが生じる場合がある。
【００３１】
発光層の輝度の均一性を高める参考例として、第１電極膜の複数の部分から電流を注入する方法がある。すなわち、発光パネルに複数の電極を配置する。複数の電極に配線が接続される。この方法を用いた場合、発光装置が過度に厚くなる場合がある。配線の接続方法によっては、発光層の輝度の均一性が低くなる場合がある。
【００３２】
これに対して、本実施形態に係る発光装置２１０においては、第１電極膜７２ａは、第１導電部７１ａによって、第１金属板７０ａと電気的に接続される。これにより、第１電極膜７２ａは、広い面積で第１金属板７０ａと接続される。第１金属板７０ａを介して、第１導電部７１ａの広い面積から、電流を流すことができる。広い面積から電流が流れることによって、発光層３２の輝度の均一性を高めることができる。
【００３３】
例えば、第１電極膜７２ａに配線を接続せずに、第１金属板７０ａに配線を接続することができる。これにより、例えば、発光装置２１０の厚さが、過度に厚くならない。
【００３４】
本実施形態によれば、第１電極膜７２ａと接続された第１金属板７０ａ、及び、第２電極膜７２ｂと接続された第２金属板７０ｂを、第１発光パネル１０１に取り付けることで、信頼性を高めることができる。さらに、輝度の均一性を高めることができる。
【００３５】
（第２の実施形態）  
図２（ａ）及び図２（ｂ）は、第２の実施形態に係る発光装置を例示する模式図である。  
図２（ａ）は、発光装置２１１の模式的断面図を例示している。図２（ｂ）は、図２（ａ）のＢ１−Ｂ２線断面を例示している。  
発光装置２１１には、発光部２０１が複数設けられる。発光部２０１には、接続部７３が設けられている。それ以外は、第１の実施形態において説明した発光部２００と同様である。接続部７３は、例えば、第２金属板７０ｂと電気的に接続されている。例えば、接続部７３は、第４領域Ｒ４に設けられる。
【００３６】
図２（ａ）及び図２（ｂ）においては、見やすさのため２つの発光部２０１が例示されている。発光装置２１１に設けられる発光部２０１の数は、３以上でも良い。
【００３７】
複数の発光部２０１のうちの１つの発光部２０１の第１金属板７０ａは、別の発光部２０１の第２金属板７０ｂと、接続部７３によって接続されている。
【００３８】
複数の発光部を平面的に配置する（タイリングする）場合、１つの発光部の第１電極膜と、別の発光部の第２電極膜との間に、配線を設ける参考例がある。この場合、接続が容易でなく、配線の接続の信頼性が低い場合がある。一方、実施形態に係る発光装置２１１においては、第２金属板７０ｂに設けられた接続部７３を用いて、発光部どうしが接続される。これにより、例えば、広い面積で接続することができ、信頼性を高めることができる。接続部７３を用いることで、発光部２０１のタイリングを容易に行うことができる。
本実施形態によれば、高信頼性の発光装置が提供される。さらに、輝度の均一性を向上できる。
【００３９】
（第３の実施形態）  
図３（ａ）及び図３（ｂ）は、第３の実施形態に係る発光装置を例示する模式図である。  
図３（ａ）は、発光装置２１２の透視平面図である。図３（ｂ）は、図３（ａ）のＣ１−Ｃ２線断面を例示している。
【００４０】
図３（ａ）に表したように、発光装置２１２は、発光部２０２を含む。発光部２０２は、第１発光パネル１０１と、第２発光パネル１０２と、第１金属板７０ａと、第２金属板７０ｂと、第３金属板７０ｃと、を含む。第２発光パネル１０２は、第３電極膜７２ｃと、第４電極膜７２ｄと、第２有機層３０ｂと、を含む。  
図３（ｂ）に表したように、第２有機層３０ｂは、第３電極膜７２ｃと第４電極膜７２ｄとの間に設けられる。第３電極膜７２ｃは、第３部分１００ｃと第４部分１００ｄとを含む。
【００４１】
第３部分１００ｃは、例えば、Ｘ軸方向において、第４部分１００ｄと離間している。Ｘ軸方向と交差する方向（例えばＺ軸方向）において、第３電極膜７２ｃは、第４電極膜７２ｄと離間している。
【００４２】
第２金属板７０ｂは、第３領域Ｒ３と、第４領域Ｒ４と、第５領域Ｒ５と、を含む。第３領域Ｒ３は、第２部分１００ｂと対向する。第４領域Ｒ４は、第１発光パネル１０１と対向しない。Ｘ−Ｙ平面に投影したときに、第３領域Ｒ３は、第２部分１００ｂと重なり、第４領域Ｒ４は、第１発光パネル１０１と重ならない。第２電極膜７２ｂは、第２金属板７０ｂと、第２導電部７１ｂによって電気的に接続されている。
【００４３】
第５領域Ｒ５は、第３部分１００ｃと対向する。Ｘ−Ｙ平面に投影したときに、第５領域Ｒ５は、第３部分１００ｃと重なる。第２金属板７０ｂは、第３電極膜７２ｃ及び第４電極膜７２ｄのいずれか一方と電気的に接続される。この例では、第２金属板７０ｂは、第３電極膜７２ｃと、第３導電部７１ｃによって電気的に接続されている。
【００４４】
第３金属板７０ｃは、第６領域Ｒ６と、第７領域Ｒ７と、を含む。第６領域Ｒ６は、第４部分１００ｄと対向する。第７領域Ｒ７は、第２発光パネル１０２と対向しない。Ｘ−Ｙ平面に投影したときに、第６領域Ｒ６は、第４部分１００ｄと重なり、第７領域Ｒ７は、第２発光パネル１０２と重ならない。  
第３金属板７０ｃは、第３電極膜７２ｃ及び第４電極膜７２ｄのいずれか他方と電気的に接続される。この例では、第３金属板７０ｃは、第４電極膜７２ｄと、第４導電部７１ｄによって電気的に接続されている。第３金属板７０ｃは、第２金属板７０ｂと離間している。
【００４５】
第３電極膜７２ｃには、例えば、第１電極膜７２ａと同様の材料が用いられる。第３電極膜７２ｃは、例えば、光透過性である。第３電極膜７２ａは、透明電極である。第３電極膜７２ｃには、例えば、ＩＴＯ、ＩＺＯまたは導電性高分子などが用いられる。  
第４電極膜７２ｄには、例えば、第２電極膜７２ｂと同様の材料が用いられる。第４電極膜７２ｄは、例えば、不透明である。第４電極膜７２ｄには、例えば、銀（Ａｇ）膜、またはアルミニウム（Ａｌ）膜が用いられる。
【００４６】
第３金属板７０ｃには、例えば、アルミニウム（Ａｌ）または銅（Ｃｕ）などの板が用いられる。
【００４７】
第３導電部７１ｃ及び第４導電部７１ｄは、導電性である。第１導電部７１ｃ及び第２導電部７１ｄには、例えば、変形可能な（弾性のある）金属片が用いられる。第３導電部７１ｃ及び第４導電部７１ｄには、例えば、カーボン、または、導電性のゴムを用いても良い。
【００４８】
第２有機層３０ｂには、発光層３２と、正孔輸送層３１と、電子輸送層３３と、が設けられている。この例では、第３電極膜７２ｃの上に正孔輸送層３１が設けられ、正孔輸送層３１の上に発光層３２が設けられ、発光層３２の上に電子輸送層３３が設けられている。第２有機層３０ｂは、第１有機層３０ａと同様に発光する。
【００４９】
本実施形態に係る発光装置２１２には、第１金属板７０ａ、第２金属板７０ｂ及び第３金属板７０ｃが設けられている。第１電極膜７２ａ及び第３電極膜７２ｃにおいて発生した熱は、第１金属板７０ａ、第２金属板７０ｂ及び第３金属板７０ｃへ伝わる。第１金属板７０ａ、第２金属板７０ｂ及び第３金属板７０ｃによって、発生した熱が放熱される。発光装置２１２の温度の均一性が高まる。本実施形態によれば、信頼性の高い発光装置が提供される。
【００５０】
本実施形態に係る発光装置２１２においては、第１電極膜７２ａは、第１導電部７１ａによって、第１金属板７０ａと電気的に接続される。これにより、第１電極膜７２ａは、広い面積で第１金属板７０ａと接続される。第１金属板７０ａを介して、広い面積の第１導電部７１ａから、電流を流すことができる。
【００５１】
第３電極膜７２ｃは、第３導電部７１ｃによって、第２金属板７０ｂと電気的に接続される。これにより、第３電極膜７２ｃは、広い面積で第２金属板７０ｂと接続される。第２金属板７０ｂを介して、広い面積の第３導電部７１ａから、電流を流すことができる。広い面積から電流が流れることによって、発光層３２の輝度の均一性を高めることができる。
【００５２】
実施形態に係る発光装置２１２においては、第２金属板７０ｂを介して、第１発光パネル１０１と第２発光パネル１０２とが接続される。これにより、例えば、広い面積で接続することができ、信頼性を高めることができる。本実施形態によれば、発光パネルのタイリングを容易に行うことができる。  
本実施形態によれば、高信頼性の発光装置が提供される。さらに、輝度の均一性を向上できる。
【００５３】
図４（ａ）及び図４（ｂ）は、第３の実施形態に係る発光装置を例示する模式図である。  
図４（ａ）は、発光装置２１３を例示する透視平面図である。図４（ｂ）は、発光装置２１４を例示する透視平面図である。
【００５４】
図４（ａ）に表したように、発光装置２１３は、発光部２０３を含む。発光部２０３は、第１発光パネル１０１と、第２発光パネル１０２と、第１金属板７０ａと、第２金属板７０ｂと、第３金属板７０ｃと、を含む。  
発光装置２１３においては、第１発光パネル１０１は、第２発光パネル１０２とＹ軸方向に離間している。その他の構成や部材などは、発光装置２１２と同様である。
【００５５】
図４（ｂ）に表したように、発光装置２１４は、発光部２０４を含む。発光部２０４は、第１発光パネル１０１と、第２発光パネル１０２と、第３発光パネル１０３と、第４発光パネル１０４と、を含む。
【００５６】
発光部２０４は、第１金属板７０ａと、第２金属板７０ｂと、第３金属板７０ｃと、第４金属板７０ｄと、第５金属板７０ｅと、を含む。
【００５７】
第３発光パネル１０３及び第４発光パネル１０４の構成及び材料などは、第１発光パネル１０１と同様である。第４金属板７０ｄ及び第４金属板７０ｅの材料などは、第１金属板７０ａと同様である。
【００５８】
第１発光パネル１０１は、第２金属板７０ｂを介して、第２発光パネル１０２と接続されている。第２発光パネル１０２は、第３金属板７０ｃを介して、第３発光パネル１０３と接続されている。第３発光パネル１０３は、第４金属板７０ｄを介して、第４発光パネル１０４と接続されている。  
第１発光パネル１０１〜第４発光パネル１０４において発生した熱は、第１金属板７０ａ〜第５金属板７０ｅに伝わり、放熱される。本実施形態によれば、信頼性の高い発光装置が提供される。
【００５９】
第１発光パネル１０１〜第４発光パネル１０４においては、広い面積から電流が流れることによって、発光部の輝度の均一性を高めることができる。  
本実施形態によれば、高信頼性の発光装置が提供される。さらに、輝度の均一性を向上できる。
【００６０】
（第４の実施形態）  
図５は、実施形態に係る発光装置を用いた照明器具を例示する模式図である。  
図５に表したように、照明器具１３０には、発光装置２１４と、器具本体４０と、制御装置６０と、が設けられている。
【００６１】
例えば、発光装置２１４における裏面側（透明封止部材２４側）に、器具本体４０が設けられる。器具本体４０は、発光装置２１４を保持する。
【００６２】
制御装置６０は、例えば、第１金属板７０ａと、第５金属板７０ｅと、に接続されている。例えば、電流は、第１金属板７０ａから、第１発光パネル１０１、第２金属板７０ｂ、第２発光パネル１０２、第３金属板７０ｃ、第３発光パネル１０３、第４金属板７０ｄ、第４発光パネル１０４、第５金属板７０ｅの順に、発光装置２１４を流れる。
【００６３】
本発明の実施形態によれば、高信頼性の発光装置及び照明器具が提供される。
【００６４】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【００６５】
以上、具体例を参照しつつ、本発明の実施の形態について説明した。しかし、本発明は、これらの具体例に限定されるものではない。例えば、第１金属板、第２金属板、第１電極膜、第２電極膜、発光層を含む有機層、照明器具本体などの各要素の具体的な構成に関しては、当業者が公知の範囲から適宜選択することにより本発明を同様に実施し、同様の効果を得ることができる限り、本発明の範囲に包含される。
【００６６】
また、各具体例のいずれか２つ以上の要素を技術的に可能な範囲で組み合わせたものも、本発明の要旨を包含する限り本発明の範囲に含まれる。
【００６７】
その他、本発明の思想の範疇において、当業者であれば、各種の変更例及び修正例に想到し得るものであり、それら変更例及び修正例についても本発明の範囲に属するものと了解される。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
２０…基板、  ２４…透明封止部材、  ２５…封止体、  ２６…絶縁膜、  ３０ａ…第１有機層、  ３０ｂ…第２有機層、  ３１…正孔輸送層、  ３２…発光層、  ３３…電子輸送層、  ４０…器具本体、  ６０…制御装置、  ７０ａ〜７０ｅ…第１金属板〜第５金属板、  ７１ａ〜７１ｄ…第１導電部〜第４導電部、  ７２ａ〜７２ｄ…第１電極膜〜第４電極膜、  ７３…接続部、  １００ａ〜１００ｄ…第１部分〜第４部分、  １０１〜１０４…第１発光パネル〜第４発光パネル、  １３０…照明器具、  ２００〜２０４…発光部、  ２１０〜２１４…発光装置、  Ｒ１〜Ｒ７…第１領域〜第７領域
【図１】
2015065306.tif 000003
【図２】
2015065306.tif 000004
【図３】
2015065306.tif 000005
【図４】
2015065306.tif 000006
【図５】
2015065306.tif 000007